【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
光源部と、
前記光源部からの光を第１の軸周り、および第２の軸周りに揺動して走査する光走査部と、
前記光走査部の前記第１の軸周りの揺動の振幅を、前記第２の軸周りの揺動の振幅よりも大きく制御する制御部と、を有し、
前記光源部から前記光走査部へ向かう光の光軸および前記第１の軸は第１面内に位置し、
前記光走査部は、非駆動状態において前記第１面に直交するように配置された光反射面を有し、
前記光反射面の法線に対して傾斜した方向から前記光が前記光反射面に照射されることを特徴とする画像表示装置。
【請求項２】
前記光走査部は、前記光反射面を有する可動部と、前記可動部を囲むように設けられた枠体部と、前記枠体部を支持する支持部と、前記枠体部に対して前記可動部を前記第１の軸周りに揺動可能とするように前記可動部と前記枠体部とを連結する第１の軸部と、前記支持部に対して前記枠体部を前記第２の軸周りに揺動可能とするように前記枠体部と前記支持部とを連結する第２の軸部と、を有している請求項１に記載の画像表示装置。
【請求項３】
前記枠体部の前記第１面に直交する方向の幅は、前記第１面の面内方向の幅よりも小さい請求項２に記載の画像表示装置。
【請求項４】
前記光走査部は、前記枠体部に設けられた永久磁石と、前記枠体部と対向配置され、前記永久磁石に作用する磁界を発生させるコイルと、を有している請求項２または３に記載の画像表示装置。
【請求項５】
前記光反射面は、前記第１面に直交する方向に共振で揺動する請求項１ないし４のいずれかに記載の画像表示装置。
【請求項６】
前記光源部と前記光走査部との間の前記光の光路上に設けられ、前記光源部からの光の断面形状を変化させるプリズムを有している請求項１ないし５のいずれかに記載の画像表示装置。
【請求項７】
前記光源部からの光は、前記プリズムの入射面に対してｓ偏光となる直線偏光である請求項６に記載の画像表示装置。
【請求項８】
前記プリズムは、前記光の前記第１面の面内方向の幅を広げることにより、前記光の断面形状を変化させる請求項６または７に記載の画像表示装置。
【請求項９】
前記プリズムの出射面は、前記光を集光するレンズ面となっている請求項６ないし８のいずれかに記載の画像表示装置。
【請求項１０】
前記光源部から出射され、前記プリズムの入射面にて反射した光の量を検出する検出部を有し、前記検出部によって検出された光の量に基づいて前記光源部の駆動を制御する請求項６ないし９のいずれかに記載の画像表示装置。
【請求項１１】
前記光源部から前記第１面に直交する方向へ出射される光の放射角が前記第１面の面内方向へ出射される光の放射角よりも大きくなるように構成されている請求項１ないし１０のいずれかに記載の画像表示装置。
【請求項１２】
前記光源部および前記光走査部は、前記第１面の面内方向に並んで配置されている請求項１ないし１１のいずれかに記載の画像表示装置。
【請求項１３】
光源部と、
前記光源部からの光を第１の軸周り、および第２の軸周りに揺動して走査する光走査部と、を有し、
前記光源部から前記光走査部へ向かう光の光軸および前記第１の軸は第１面内に位置し、
前記光走査部は、非駆動状態において前記第１面に直交するように配置された光反射面を有し、
前記光反射面の法線に対して傾斜した方向から前記光が前記光反射面に照射され、
前記光走査部の前記第１の軸周りの揺動の振幅は、前記第２の軸周りの揺動の振幅よりも大きいことを特徴とする画像表示装置。
【請求項１４】
入射した光の少なくとも一部を反射する光反射部材と、
前記光反射部材に光を照射する画像表示装置と、を有し、
前記画像表示装置は、光源部と、
前記光源部からの光を第１の軸周り、および第２の軸周りに揺動して走査する光走査部と、
前記光走査部の前記第１の軸周りの揺動の振幅を、前記第２の軸周りの揺動の振幅よりも大きく制御する制御部と、を有し、
前記光源部から前記光走査部へ向かう光の光軸および前記第１の軸は第１面内に位置し、
前記光走査部は、非駆動状態において前記第１面に直交するように配置された光反射面を有し、
前記光反射面の法線に対して傾斜した方向から前記光が前記光反射面に照射されることを特徴とするヘッドマウントディスプレイ。
【手続補正２】
【補正対象書類名】明細書
【補正対象項目名】０００６
【補正方法】変更
【補正の内容】
【０００６】
このような目的は、下記の本発明により達成される。
本発明の画像表示装置は、光源部と、
前記光源部からの光を第１の軸周り、および第２の軸周りに揺動して走査する光走査部と、
前記光走査部の前記第１の軸周りの揺動の振幅を、前記第２の軸周りの揺動の振幅よりも大きく制御する制御部と、を有し、
前記光源部から前記光走査部へ向かう光の光軸および前記第１の軸は第１面内に位置し、
前記光走査部は、非駆動状態において前記第１面に直交するように配置された光反射面を有し、
前記光反射面の法線に対して傾斜した方向から前記光が前記光反射面に照射されることを特徴とする。
これにより、小型化を図ることができるとともに、画像表示特性の向上（特に、描画有効領域の拡大）を図ることのできる画像表示装置を提供することができる。
【手続補正３】
【補正対象書類名】明細書
【補正対象項目名】０００９
【補正方法】変更
【補正の内容】
【０００９】
本発明の画像表示装置では、前記光反射面は、前記第１面に直交する方向に共振で揺動することが好ましい。
これにより、簡単かつ確実に、光反射面を、第１面に直交する方向に大きく揺動させることができる。
本発明の画像表示装置では、前記光源部と前記光走査部との間の前記光の光路上に設けられ、前記光源部からの光の断面形状を変化させるプリズムを有していることが好ましい。
これにより、各構成部材の配置の自由度が高まるとともに、光の断面形状を整形することによって画像表示特性が向上する。
【手続補正４】
【補正対象書類名】明細書
【補正対象項目名】００１２
【補正方法】変更
【補正の内容】
【００１２】
本発明の画像表示装置では、前記光源部から前記第１面に直交する方向へ出射される光の放射角が前記第１面の面内方向へ出射される光の放射角よりも大きくなるように構成されていることが好ましい。
光源として一般的に用いられる半導体レーザーから出射されるレーザー光の強度部分布は、略楕円形状を有している。すなわち、長軸方向におけるレーザー光の放射角と、短軸方向におけるレーザー光の放射角とが異なっており、放射角の大きい長軸方向を面に直交する方向とすることにより、例えば、プリズムを横置きに配置することができ、装置の小型化を図ることができる。
本発明の画像表示装置では、前記光源部および前記光走査部は、前記第１面の面内方向に並んで配置されていることが好ましい。
これにより、画像表示装置の小型化（薄型化）を図ることができる。
【手続補正５】
【補正対象書類名】明細書
【補正対象項目名】００１３
【補正方法】変更
【補正の内容】
【００１３】
本発明の画像表示装置は、光源部と、
前記光源部からの光を第１の軸周り、および第２の軸周りに揺動して走査する光走査部と、を有し、
前記光源部から前記光走査部へ向かう光の光軸および前記第１の軸は第１面内に位置し、
前記光走査部は、非駆動状態において前記第１面に直交するように配置された光反射面を有し、
前記光反射面の法線に対して傾斜した方向から前記光が前記光反射面に照射され、
前記光走査部の前記第１の軸周りの揺動の振幅は、前記第２の軸周りの揺動の振幅よりも大きいことを特徴とする。
これにより、小型化を図ることができるとともに、画像表示特性の向上（特に、描画有効領域の拡大）を図ることのできる画像表示装置を提供することができる。
【手続補正６】
【補正対象書類名】明細書
【補正対象項目名】００１４
【補正方法】変更
【補正の内容】
【００１４】
本発明のヘッドマウントディスプレイは、入射した光の少なくとも一部を反射する光反射部材と、
前記光反射部材に光を照射する画像表示装置と、を有し、
前記画像表示装置は、光源部と、
前記光源部からの光を第１の軸周り、および第２の軸周りに揺動して走査する光走査部と、
前記光走査部の前記第１の軸周りの揺動の振幅を、前記第２の軸周りの揺動の振幅よりも大きく制御する制御部と、を有し、
前記光源部から前記光走査部へ向かう光の光軸および前記第１の軸は第１面内に位置し、
前記光走査部は、非駆動状態において前記第１面に直交するように配置された光反射面を有し、
前記光反射面の法線に対して傾斜した方向から前記光が前記光反射面に照射されることを特徴とする。
これにより、信頼性の高いヘッドマウントディスプレイを提供することができる。